(57)【要約】      （修正有）【課題】極めて簡単な構成で、コインを選別するとともに、同じコインが複数枚投入されることを防止する機能を持った電気等の駆動力を必要とせずに動作可能な自動販売機を提供する。【解決手段】コインを投入するためのコイン投入口３と、コイン投入口３を端部とするコインが通過するスロープであるコインガイド４と、コインガイド４の他の端部であり、コインを一時停留する一時停留エリア７と、一時停留エリア７に駆動部が設けられ、コインの落下エネルギーにより駆動されるコイン投入停止手段６と、基準となる位置から移動または回転させることで、販売物を排出させるための排出レバー１と、コインの落下エネルギーにより駆動され、排出レバー１の動きを制約する排出レバー制約手段２と、一時停留エリア７からコインが落下するための経路の開閉を行う一時停留エリア開閉手段８とを備えたものである。【選択図】図１
0003206277.tif 000002
【実用新案登録請求の範囲】
【請求項１】
コインを投入するためのコイン投入口と、
当該コイン投入口を端部とするコインが通過するスロープであるコインガイドと、
当該コインガイドの他の端部であり、コインを一時停留する一時停留エリアと、
当該一時停留エリアに駆動部が設けられ、コインの落下エネルギーにより駆動されるコイン投入停止手段と、
基準となる位置から移動または回転させることで、販売物を排出させるための排出レバーと、
上記一時停留エリアに駆動部が設けられ、コインの落下エネルギーにより駆動され、当該排出レバーの動きを制約する排出レバー制約手段と、
上記一時停留エリアからコインが落下するための経路の開閉を行う一時停留エリア開閉手段と
を備えた自動販売機であって、
上記コインガイドは、一定のコインの幅または直径より小さいコインを当該コインガイドの外に落下させるための開口である選別窓を有し、
上記コイン投入停止手段は、上記一時停留エリアにコインが停留している際には、上記コイン投入口を封鎖し、上記一時停留エリアに上記コインが停留していない際には、上記コイン投入口を開放し、
上記排出レバー制約手段は、上記一時停留エリア７にコインが停留している際には、上記排出レバーを可動状態にし、上記一時停留エリアにコインが停留していない際であって且つ上記排出レバーが上記基準となる位置にあるときには、上記排出レバーを可動不可能な状態にし、
一時停留エリア開閉手段は、上記排出レバーが上記基準となる位置から移動または回転した際に開放状態になる
ことを特徴とする自動販売機。
【請求項２】
上記排出レバーの回転に伴い揺動する紙排出手段をさらに備え、
当該紙排出手段は、
当該紙排出手段の揺動に伴い所定の位置範囲内で回転するローラーと、
当該ローラーの回転に伴い上下する押圧部と、
を備えたことを特徴とする請求項１に記載の自動販売機。
【請求項３】
並進可動する永久磁石と、
当該永久磁石に設けられた弾性手段と
を有する筐体ロック手段をさらに備えた
ことを特徴とする請求項１または２に記載の自動販売機。
【請求項４】
照明をさらに備えた、
ことを特徴とする請求項１から３のいずれかに記載の自動販売機。
【考案の詳細な説明】
【技術分野】
【０００１】
本考案は、自動販売機に関するものであり、特に簡易な構成で投入するコインの選別が可能な自動販売機に関する。
【背景技術】
【０００２】
一般の自動販売機に設けられているコインの選別は、コインの形状、重さ、電気抵抗、磁気的な反発力といったコインの持つ様々な特性を用いている。例えば、コインの形状を用いる一例として、コイン選別するための選別窓をコインの軌道に設けているものがある（例えば、特許文献１）。
【先行技術文献】
【特許文献】
【０００３】
【特許文献１】特開平８−１４７５２２
【考案の概要】
【考案が解決しようとする課題】
【０００４】
特許文献１においては、一定の厚みや直径以下のコインを選択窓から選別し、返却することが可能である。一方、一定の厚みや直径以上のコインが投入された場合には、そのコインを受領し、自動販売機の所定動作を行わせることが可能である。
【０００５】
しかし、一定の厚みや直径以上の大きさを持つ同じコインが複数投入されても、選択窓から選別されないため、過剰な枚数投入された同じコインを返却するための機構を別途設ける必要があった。そのため、より複雑な機構が必要であった。
【０００６】
本考案はこのような課題を解決するためになされたものであり、極めて簡単な構成で、コインを選別するとともに、同じコインが複数枚投入されることを防止する機能を持った自動販売機を提供するものであり、特に、電気等の駆動力を必要とせずに動作可能な自動販売機を提供するものである。
【課題を解決するための手段】
【０００７】
本考案に係る自動販売機は、コインを投入するためのコイン投入口と、当該コイン投入口を端部とするコインが通過するスロープであるコインガイドと、当該コインガイドの他の端部であり、コインを一時停留する一時停留エリアと、当該一時停留エリアに駆動部が設けられ、コインの落下エネルギーにより駆動されるコイン投入停止手段と、基準となる位置から移動または回転させることで、販売物を排出させるための排出レバーと、上記一時停留エリアに駆動部が設けられ、コインの落下エネルギーにより駆動され、当該排出レバーの動きを制約する排出レバー制約手段と、上記一時停留エリアからコインが落下するための経路の開閉を行う一時停留エリア開閉手段とを備えた自動販売機であって、上記コインガイドは、一定のコインの幅または直径より小さいコインを当該コインガイドの外に落下させるための開口である選別窓を有し、上記コイン投入停止手段は、上記一時停留エリアにコインが停留している際には、上記コイン投入口を封鎖し、上記一時停留エリアに上記コインが停留していない際には、上記コイン投入口を開放し、上記排出レバー制約手段は、上記一時停留エリア７にコインが停留している際には、上記排出レバーを可動状態にし、上記一時停留エリアにコインが停留していない際であって且つ上記排出レバーが上記基準となる位置にあるときには、上記排出レバーを可動不可能な状態にし、一時停留エリア開閉手段は、上記排出レバーが上記基準となる位置から移動または回転した際に開放状態になることを特徴とする。
【０００８】
特に、本考案に係る自動販売機は、上記排出レバーの回転に伴い揺動する紙排出手段をさらに備え、当該紙排出手段は、当該紙排出手段の揺動に伴い所定の位置範囲内で回転するローラーと、当該ローラーの回転に伴い上下する押圧部とを備えたことを特徴とする。
【０００９】
また、本考案に係る自動販売機は、並進可動する永久磁石と、当該永久磁石に設けられた弾性手段とを有する筐体ロック手段をさらに備えたことを特徴とする。
【００１０】
さらに、本考案に係る自動販売機は、照明をさらに備えたことを特徴とする。
【考案の効果】
【００１１】
本考案に係る自動販売機は、極めて簡易な構成で、一種類のコインによる販売を可能とするものであり、電気等の駆動源も必要としないため、配置の自由度が著しく向上する。すなわち、コインの落下のエネルギーと、排出レバーを引くエネルギーのみで、コイン選択や販売物の排出を行うことができるという大きな特長を有している。また、小型化も容易である。
【００１２】
この自動販売機として適切な利用目的は多々あるが、例えば、タクシーの後部座席に接地し、新聞や小雑誌、おみくじ等の販売を行うことができる。タクシーの後部座席のように、電源を設けることが難しく、且つ狭い場所であっても、小型の自動販売機として設置することが容易である。また、電池式のＬＥＤ照明を設ければ、夜でも利用することができる。
【図面の簡単な説明】
【００１３】
【図１】本考案の自動販売機の全体構成図である。
【図２】本考案の自動販売機の全体構成図であり、コイン投入直後の図である。
【図３】本考案の自動販売機の全体構成図であり、コインが投入口停止手段を駆動した際の図である。
【図４】本考案の自動販売機の全体構成図であり、コインがレバー制約手段を駆動した際の図である。
【図５】本考案の自動販売機の全体構成図であり、レバーを引いた際の図である。
【図６】本考案の自動販売機の送り機構を説明するための図である。
【図７】本考案の自動販売機の送り機構を説明するための図である。
【図８】本考案の自動販売機の筐体のロック解除動作を説明するための図である。
【図９】本考案の別の自動販売機の全体構成図である。
【考案を実施するための形態】
【００１４】
実施の形態．
本考案に係る自動販売機の構成等に関して、以下において、図面を用いて説明する。なお、以下の説明は本考案に関する良好な一例を開示するものであり、本考案が当該実施の形態に限定されるものではない。例えば、以下の実施の形態においては、紙等のシート状物を販売する自動販売機を一例として紹介するが、その他の形状の物品を販売できる自動販売機であっても良い。
【００１５】
＜全体構成＞
図１を用いて、自動販売機の全体構成を説明する。
自動販売機は、コインを投入するためのコイン投入口３と、このコイン投入口３を端部とするコインが通過するスロープであるコインガイド４と、このコインガイド４のもう一方の端部であり、コインを一時停留する一時停留エリア７と、この一時停留エリア７に駆動部が設けられ、コインの落下エネルギーにより駆動されるコイン投入停止手段６と、基準となる位置から移動または回転させることで、販売物を排出させるための排出レバー１と、一時停留エリア７に駆動部が設けられ、コインの落下エネルギーにより駆動され、排出レバー１の動きを制約する排出レバー制約手段２と、一時停留エリア７からコインが落下するための経路の開閉を行う一時停留エリア開閉手段８とを、主な構成として備えている。
【００１６】
コインガイド４は、一定のコインの厚みまたは直径より小さいコインをコインガイド４の外に落下させるための開口である選別窓４ａを有している。図１においては、コインは横に寝た状態でコインガイド４を滑っていく。そして、コインガイド４の途中に点線で囲んで示すように、幅Ｗを有する開口である選別窓を設けているので、直径が小さなコインは、コインガイド４の外に落下し、コイン返却口５に落ちる。また、コイン投入口の直径をＷよりも大きな所定の直径Ｗ２とすれば、直径がＷからＷ２のコインのみを選別することが可能となる。
さらに、コインを立てた状態で滑らすようにすれば、同様の機構で、厚みでコインの選別が可能となる。
【００１７】
コイン投入停止手段６は、一時停留エリア７にコインが停留している際には、コイン投入口３を封鎖し、一時停留エリア７に上記コインが停留していない際には、上記コイン投入口３を開放するものである。コイン投入停止手段６は、回転軸６ａを中心に回転し、また、図示しないばね等の弾性機構により、図１において時計回りに付勢されている。
【００１８】
排出レバー制約手段２は、一時停留エリア７にコインが停留している際には、排出レバー１を可動状態にし、一時停留エリア７にコインが停留していない際であって且つ排出レバー１が基準となる位置にあるときには、上記排出レバー１を可動不可能な状態にするものである。排出レバー制約手段２は、回転軸２ａを中心に回転し、また、図示しないばね等の弾性機構により、図１において反時計回りに付勢されている。
【００１９】
一時停留エリア開閉手段８は、排出レバー１が基準となる位置から移動または回転した際に開放状態になるものである。一時停留エリア開閉手段８は、図１において、紙面の上下を回転軸として回転し、また、図示しないばね等の弾性機構により、図１において左回りに付勢されている。
排出レバー１も、図示しないばね等の弾性機構により、図１において上部が後方に回転するように付勢されている。
なお、排出レバー１等にＬＥＤ等の照明１ａを設けても良い。暗部においても排出レバー１やコイン投入口３の位置が分かり、操作が可能となる。また、販売物である紙に書かれた文字を読み取ることができる。自動販売機は電気等の駆動エネルギーを必要とせず駆動できるため、照明１ａは電池駆動が望ましい。
【００２０】
次に、排出レバー１を引いた際に駆動される紙排出手段について説明する。
自動販売機は、排出レバー１の移動または回転に伴い並進する紙排出手段をさらに備えている。
図１においては、排出レバー１が排出レバー回転軸２を回転軸として回転する場合を示している。排出レバー回転軸２は、紙排出手段を構成する揺動部１０の回転軸になっている。したがって、揺動部１０は、排出レバー１の回転に伴い、筐体内壁に接触しながら揺動する。この揺動部１０には回転するローラー１１が設けられている。そして、ローラー１１には棒状態である２本の押圧部支持体１２が固定され、その多端に押圧部１３が設けられている。
また、それらの上部にはストッパー１４が設けられている。さらにその上部には、紙ガイド１５が設けられ、複数枚の紙が設置できるようになっている。この紙は、押圧部１３により排出口１６より筐体外部に排出される。
【００２１】
筐体は上部と下部から構成され、それらをロックするための筐体ロック手段が設けられている。筐体ロック手段は、ばね等の弾性手段１７と、この弾性手段に一端に固定された永久磁石１８と、永久磁石に固定されたロック板１９からなる機構が筐体下部にもうけられ、筐体上部に固定されたロックバー２０との相対位置が変化することにより、ロック状態またはロック解除状態になりうる。筐体下部の側面壁にはカギを挿入するためのかぎ穴２１が設けられている。
【００２２】
＜動作＞
次に、図２から図８を用いて、自動販売機の動作について説明する。
まず、図２は、コイン投入直後の状態を示す図である。コイン投入口３から投入されたコインは、コインガイド４に沿って滑り、選別窓４ａに達する。コインの直径が選別窓４ａの開口幅Ｗよりも小さい場合、選別窓４ａから下に落ち、コインを返却するための返却口５に達する。
一方、コインの直径が選別窓４ａの開口幅Ｗよりも大きい場合、そのまま選別窓４ａを通過する。
【００２３】
図３は、選別窓４ａを通過したコインがコインガイド４に沿って滑り、一時停留エリア７に達し、コイン投入停止手段７の駆動部を落下のエネルギーにより駆動した際の図である。コイン投入停止手段６は、回転軸６ａを中心に回転するため、コインにより押された端部である駆動部が下がると、多端が上がり、コイン投入口３付近を封鎖する。これにより、コインをさらに投入することができなくなる。
【００２４】
図４は、コインが一時停留エリア７内の底である一時停留エリア開閉手段８まで達した際の図である。コインは、コイン投入停止手段７の駆動部に続き、排出レバー制約手段２の駆動部を落下のエネルギーにより駆動する。排出レバー制約手段２は、回転軸２ａを中心に回転するため、コインにより押された端部である駆動部が下がると、多端が上がる。これにより、排出レバー１を回転できる状態になる。
【００２５】
図５は、排出レバー１を回転させた状態、すなわち、排出レバー１の上部を手前に引いた状態である。排出レバー１は回転止め１ｃにより後方への回転は行えない。前方への回転は、排出レバー制約手段２が回転した状態にあるため可能となり、例えば、排出レバー１の上部を手前に引くことで、排出レバー１を回転させることができる。
【００２６】
排出レバー１を回転させると、排出レバー１が一時停留エリア開閉手段８の左側を図５において紙面奥側に押し、回転させる。これにより、一時停留エリア７の底部となっていた一時停留エリア開閉手段８の右側が回転し、コインはコイン受け９へと落下する。
コイン９が一時停留エリア７から落下したことで、コイン投入停止手段６は図示しない弾性手段により、元の位置に復帰し、コインを投入できる状態になる。また、排出レバー制約手段２も図示しない弾性手段により、元の位置に復帰しようとするが、排出レバー１に当たるため、完全には復帰できない。例えば、排出レバー１の紙面奥側の厚みを十分に厚くしておく等により、排出レバー１を回転させても、排出レバー制約手段２が元の位置に戻らないようにできる。そして、排出レバー１が元の位置に復帰した際には、排出レバー制約手段２も元の位置に復帰する。
【００２７】
排出レバー１の回転軸である排出レバー回転軸１ｂは、揺動部１０の回転軸でもあるので、排出レバー１の回転に伴い、揺動部１０も揺動する。図６および図７を用いて、揺動部１０が揺動することにより、紙が排出される工程について説明する。
【００２８】
排出レバー１が回転する前の状態、ずなわち図１に示す排出レバの位置を基準となる位置と呼ぶことにする。図６（ａ）は、排出レバー１が基準となる位置にいるときの状態である。ローラー１１は筐体の内底から少し浮いた状態にある。排出レバー１を基準となる位置から回転すると、ローラー１１は図のＡで示す矢印方向に揺動する。
【００２９】
図６（ｂ）は、揺動により図のＡで示す矢印方向に揺動し、ローラー１１が筐体の内底に接地し、さらに移動した状態である。ローラー１１は樹脂等の微変形可能な材質で構成されているので、揺動の所定の範囲内で、筐体の内底に接地した状態を保ちながら移動できる。ローラー１１が筐体の内底に接地した状態においては、ローラー１１は矢印Ｂで示す方向に回転するため、押圧部１３が上に持ち上がる。
【００３０】
ローラー１１が筐体の内底に接地し、さらに移動した状態が図６（ｃ）であり、押圧部１３が紙に当接し、紙を１枚だけ右側に引き出す。図７（ａ）は、さらにローラー１１が矢印Ａ方向に移動し、紙が排出口１６まで引き出された状態を表している。
【００３１】
図７（ｂ）は、さらにローラー１１が矢印Ａ方向に移動し、ローラー１１が筐体の内底からわずかに浮き上がった状態である。ローラー１１が筐体の内底から浮き上がると、ローラ１１はフリーに回転できるようになるため、押圧部１３の上方への圧力はなくなり、紙から離れる。この状態は、排出レバー１を十分に引いた状態である。
【００３２】
排出レバー１から手を放すと、付勢手段により、排出レバー１は元の基準位置に向かい回転する。それにより、ローラー１１は図７（ｆ）に示す矢印Ａ１方向に戻り始める。戻る過程において、ローラー１１が筐体の内底に接地し、ローラー１１はＢ１で示す矢印方向に回転するため、押圧部１３は下方に下がる。
以上のような動作により、紙が排出される。
【００３３】
次に、筐体のロック機構について、図８を用いて説明する。
図８（ａ）はロック状態であり、筐体上部に固定されたロックバー２０がロック板１９から外れないため、筐体の上部と下部が結合状態にある。なお、このロック機構の反対側等は、例えば、筐体上部の側面にもうけられた爪が、筐体下部の受け部と噛むようにしておけば、ロック機構は１か所にだけ設ければよい。
図８（ｂ）は、カギ穴２１にカギを挿入し、ロックを解除した状態である。カギの先端には永久磁石が設けられ、ロック機構内にある磁石１８と同極が対抗するようになっている。したがって、磁石１８は反発力を受けて右側に移動する。これにより、ロックバー２０がロック板１９から抜ける状態になる。
【００３４】
＜他の構成＞
以上に示した構成は一例であり、その他の構成により同様の動作を実現しても良い。
また、以上に示した自動販売機はワンコインによる販売に適したものである。ただし、複数の同一コインによる販売も可能である。その構成を図９に示す。図９においては、一時停留エリア開閉手段８の位置をコインの直径だけ下に下げている。このようにすることで、２枚目のコインが投入された際に、排出レバー１を駆動できるようになる。さらに、一時停留エリア開閉手段８の位置を下げれば、３枚以上の同一コインによる販売も可能となる。
【００３５】
＜本考案のまとめ＞
最後に、本考案の特長や有効な利用目的について述べる。
本考案の自動販売機は、極めて簡易な構成で、一種のコインによる販売を可能とするものであり、電気等の駆動源も必要としないため、配置の自由度が著しく向上する。すなわち、コインの落下のエネルギーと、排出レバーを引くエネルギーのみで、コイン選択や販売物の排出を行うことができるという大きな特長を有している。また、小型化も容易である。
【００３６】
この自動販売機として適切な利用目的は多々あるが、例えば、タクシーの後部座席に接地し、新聞や小雑誌、おみくじ等の販売を行うことができる。タクシーの後部座席のように、電源を設けることが難しく、且つ狭い場所であっても、小型の自動販売機として設置することが容易である。また、電池式のＬＥＤ照明を設ければ、夜でも利用することができる。
【符号の説明】
【００３７】
１  排出レバー
１ａ  照明
１ｂ  排出レバー回転軸
２  排出レバー制約手段
２ａ  回転軸
３  コイン投入口
４  コインガイド
４ａ  選別窓
５  返却口
６  コイン投入停止手段
６ａ  回転軸
７  一時停留エリア
８  一時停留エリア開閉手段
９  コイン受け
１０  運動変換部
１１  ローラー
１２  押圧部支持体
１３  押圧部
１４  ストッパー
１５  紙ガイド
１６  排出口
１７  弾性体
１８  磁石
１９  ロック板
２０  ロックバー
２１  かぎ穴
【図１】
0003206277.tif 000003
【図２】
0003206277.tif 000004
【図３】
0003206277.tif 000005
【図４】
0003206277.tif 000006
【図５】
0003206277.tif 000007
【図６】
0003206277.tif 000008
【図７】
0003206277.tif 000009
【図８】
0003206277.tif 000010
【図９】
0003206277.tif 000011